(57)【要約】      （修正有）【課題】歯科診療をより容易に行うことのできる開口器を提供する。【解決手段】開口器は、板体１を含み、板体１の一端は折れ曲がって鉤部１１を形成し、その中央に溝が設けられ、他端には３０度曲がった柄部１２を設置する。鉤部１１は、就診患者の口中に差し込んで唇を引っ掛け、且つ垂直に開かせるものであり、前記柄部１２は、操作者が把持して操作しやすいようにするものである。【選択図】図１
0003178975.tif 000002
【実用新案登録請求の範囲】
【請求項１】
板体を備える、開口器であって、
前記板体は、一端が折り曲げられて鉤部を形成し、他端には柄部を設けることを特徴とする開口器。
【請求項２】
前記鉤部は、弧状に形成されることを特徴とする請求項１に記載の開口器。
【請求項３】
前記柄部には、前記鉤部の反対方向に対応して折れ曲がり部が形成されることを特徴とする請求項１に記載の開口器。
【考案の詳細な説明】
【技術分野】
【０００１】
本考案は、歯科治療用器具に係り、特に唇を開き、口内撮影・歯のクリーニングを容易に行うことができる開口器に関する。
【背景技術】
【０００２】
歯は、体の健康を維持する第一関門である。その役割は、口内の食物を咀嚼し、食物を切り裂き・研磨して微細な状態にさせてから、胃の中へ入れて分解及び消化作業を行うことにある。若し、大口の食物が最初適当に咀嚼されず、いきなり胃袋へ入れられたら、大幅に胃袋の作業量を増やし、消化不良は胃袋の損傷を招き、更に体の健康に影響することは避けられない。
【０００３】
大多数の人類の歯は、一生を通じて一回しか生え変えを行わず、且つ自己補修することができない。従って、歯の健康を維持することは、人それぞれが気遣うべき課題である。歯の健康を維持するためには、正しい生活習慣のほかに、歯科医師の定期的保養或いは治療をしてもらう必要がある。
【０００４】
「其の事を善くせんと欲すれば、必ず先ず其の器を利く」とあるように、歯は、口の中に位置して、普段は固く閉じられて外に現れず、開いても限度があり、直接全貌を覗くことはできない。だから、歯医者は口腔の治療に当たって、その他の器材を使って、作業を行いやすくしなければならない。しかしながら、歯科用器具の設計は、その多くが医者の便利性を重点に置き、治療を受ける側の気持ちはあまり考慮されていない。そのため、歯科医に診てもらうことは、多くの人たちにとって、ほとんど不愉快な経験となっている。就診患者は冷たい機械に対面させられ、しかも薬のにおいがする。医師や看護師がいくら慰めても、機械の運転する音を耳にすると、思わず背筋に寒気を感じることが多い。
【０００５】
だから、歯科用器具をいかに人間性に即して改良し、更によい効能を発揮させ、就診患者が安心して治療を受けられるだけでなく、医者に対しても有効な補助を提供できるようにするかが問題である。
【０００６】
現行の歯科用器具を例にとると、図７に示すように、医者が歯２２の治療を行う時、専用の引っ掛け道具３によって就診患者２の唇２１を引き上げる。前記専用の引っ掛け道具３の引き上げる幅が限られているため、通常一回に二本或いはさらに多くの前記専用引っ掛け道具３を使用して、初めて医者が歯科治療に必要なスペースを提供できる。操作上かなり医者の技術と経験に頼り、就診患者の不快感を招くのみならず、実は医者も特別用心して、就診患者を傷つけないように注意しなければならない。
【０００７】
本考案者は、上述従来方式に派生する各項の欠点に鑑み、極力新規改善を試み、且つ長年苦心研鑽の末、ついに本考案に係る開口器の研究開発に成功した。
【先行技術文献】
【特許文献】
【０００８】
【特許文献１】なし
【考案の概要】
【考案が解決しようとする課題】
【０００９】
本考案の主要目的は、医者が就診患者の唇を開いて、歯を検査し、就診患者に対する保健或いは治療に専念し、歯科診療の品質を向上させることのできる開口器を提供することにある。
【００１０】
本考案のもう一つの目的は、就診患者にとって、複数のとがった器具を口の中に入れられなくても、口の形に合わせた片状体を入れるだけでよく、安心して治療を受け、抵抗感を減少できる開口器提供することにある。
【００１１】
本考案の更にもう一つの目的は、構造が簡単で、コストが安く、普及しやすく、医者と就診患者の両方にとって有利な開口器を提供することにある。
【課題を解決するための手段】
【００１２】
上記課題を解決するため、本考案に係る開口器は、板体を含み、前記板体の一端は折れ曲がって鉤部を形成し、他端には柄部を設け、前記鉤部は唇を引っ掛けて開かせ、前記柄部は操作者が握り、前記柄部を操作することによって前記鉤部が唇を引っ掛けて開かせる動作を行い、就診患者の歯の全貌を見られるようにする。前記鉤部は、前記唇の形状に合わせて弧状に設計し、且つ前記鉤部の横方向の幅は前記唇の幅よりやや小さく、人体工学に符合するようにして、自然に前記唇を引っ掛けて上へ持ち上げ、前記就診患者の歯に対して検査或いは治療を行いやすいようにする。
【考案の効果】
【００１３】
このようにして完成された本考案に係る開口器は、唇を開かせて歯を検査し、医者は就診患者に対する保健或いは治療に専念し、歯科診療の品質を向上させることができる。そして、僅か口形に合わせた片状体を置くだけで、就診患者を安心させて診療を受けさせることができる。
【図面の簡単な説明】
【００１４】
【図１】本考案の斜視図である。
【図２】本考案の正面図である。
【図３】本考案の側面図である。
【図４】本考案の使用例の模式図である。
【図５】本考案の操作例の平面図（一）である。
【図６】本考案の操作例の平面図（二）である。
【図７】従来の専用鉤具の使用例の模式図である。
【考案を実施するための形態】
【００１５】
以下、本考案の実施形態を図に基づいて説明する。
【００１６】
図１〜図３には、本考案に係る開口器を示す。前記開口器は主として板体１を含み、前記板体１の一端は折れ曲がって鉤部１１を形成し、他端には柄部１２が設けられている。
【００１７】
図４を参照されたい。前記鉤部１１は、主として就診患者２の唇２１を引っ張って開かせ、前記就診患者２の歯２２に対して検査或いは治療を行いやすいようにし、前記柄部１２は、操作者（医者）が前記鉤部１１を操作して唇２１を開かせるときに握りやすいようにした。
【００１８】
このようにして、前記操作者は、たやすく前記就診患者２の唇を開かせ、直接前記歯２２の全貌を見て、前記歯２２の検査或いは治療作業を行うことができる。
【００１９】
又、人体工学に符合させ、前記就診患者２が気持ちよく感じるように、前記鉤部１１の横の段ｄを、前記唇２１の形状に合わせて弧状に設計し、前記横の段ｄの幅は前記唇２１の幅よりやや小さくし、就診患者２の口へ入れて前記唇２１と前記歯２２の間に位置させることによって、自然と前記唇２１を引っ掛けるとともに、たやすく上へ引き上げて作業を完成させることができる。
【００２０】
図５と図６を参照されたい。前記柄部１２の前記鉤部１１の反対方向に対応して、折れ曲がり部１３が設けられ、前記鉤部１１によって前記唇２１を持ち上げる動作に伴って、前記柄部１２が持ち上げられる時、前記折れ曲がり部１３の設置があるために、前記就診患者２の鼻２３に触れることはなく、順調に持ち上げるべき高さを達成し、操作者が後続の作業をしやすいようにした。
【００２１】
上記詳細な説明は、本考案の実行可能な実施例の具体的説明であり、ただし前記実施例は、本考案登録請求の範囲を制限するものではなく、およそ本考案の創作技芸精神を逸脱せずになされる等価実施或いは変更は、すべて本考案登録請求の範囲に含まれるものとする。
【符号の説明】
【００２２】
１：板体
１１：鉤部
１２：柄部
１３：折れ曲がり部
２：就診患者
２１：唇
２２：歯
２３：鼻
３：専用鉤具
【図１】
0003178975.tif 000003
【図２】
0003178975.tif 000004
【図３】
0003178975.tif 000005
【図４】
0003178975.tif 000006
【図５】
0003178975.tif 000007
【図６】
0003178975.tif 000008
【図７】
0003178975.tif 000009
【手続補正書】
【提出日】平成24年8月24日(2012.8.24)
【手続補正１】
【補正対象書類名】明細書
【補正対象項目名】全文
【補正方法】変更
【補正の内容】
【考案の詳細な説明】
【技術分野】
【０００１】
本考案は、歯科治療用器具に関し、特に唇を開け、口内撮影と歯のクリーニングを容易に行うことができる開口器に関するものである。
【背景技術】
【０００２】
歯は、体の健康を保つのに最も大切なものである。その役割は食物を咀嚼して消化しやすい状態にして胃に入れて消化させる作用がある。若し食物が咀嚼されず胃に入れば、消化不良と胃の損傷を招き、健康を害することは避けられない。
【０００３】
大多数の人の歯は、一生を通じて一回しか生え変えない。従って、歯の健康を維持することは一番大切である。歯の健康を維持するためには、正しい生活習慣のほかに、歯医者の定期検査と治療が必要である。
【０００４】
「其の事を良くせんと欲すれば、必ず先ず其の器を利く」とあるように、歯は、口の中に位置して、普段は固く閉じられて外に現れず、開いても限度があり、直接全貌を覗くことはできない。だから、歯医者は口腔の治療に当たって、その他の器材を使って、作業を行いやすくしなければならない。しかしながら、歯科用器具の設計は、その多くが医者の便利さを重点に置き、治療を受ける側の気持ちはあまり考慮されていない。そのため、歯科医に診てもらうことは、多くの人たちにとって、ほとんど不愉快な経験となっている。就診患者は冷たい機械に対面させられ、しかも薬のにおいがする。医者や看護師がいくら慰めても、機械の運転音を耳にすると、いやな気持ちになる。
【０００５】
だから、歯科用器具をいかに改良し、更によい効能を発揮させ、就診患者が安心して治療を受けられるだけでなく、医者に対しても有効な助言を提供できるようにするかが大切な問題である。
【０００６】
現行の歯科用器具を例にとると、図７に示すように、医者が歯２２の治療を行う時、専用の引っ掛け道具３によって就診患者２の唇２１を引き上げる。前記専用の引っ掛け道具３の引き上げる幅が限られているため、通常一回に二本或いはさらに多くの前記専用引っ掛け道具３を使用して、初めて医者が歯科治療に必要なスペースが提供できる。操作上かなり医者の技術と経験に頼り、就診患者の不快感を招くのみならず、実は医者も特別用心して、就診患者を傷つけないように注意しなければならない。
【０００７】
本考案者は、上述従来方式に発生する各項の欠点に鑑み、極力新規改善を試み、且つ長年苦心研鑽の末、ついに本考案に係る開口器の研究開発に成功した。
【先行技術文献】
【特許文献】
【０００８】
【特許文献１】なし
【考案の概要】
【考案が解決しようとする課題】
【０００９】
本考案の主要目的は、医者が就診患者の唇を開いて、歯を検査し、就診患者に対する保健或いは治療に専念し、歯科診療の品質を向上させることのできる開口器を提供することにある。
【００１０】
本考案のもう一つの目的は、就診患者にとって、複数のとがった器具を口の中に入れられなくても、口の形に合わせた片状体を入れるだけで、安心して治療を受け、抵抗感を減少できる開口器提供することにある。
【００１１】
本考案の更にもう一つの目的は、構造が簡単で、コストも安く、普及しやすく、医者と就診患者の両方にとって有利な開口器を提供することにある。
【課題を解決するための手段】
【００１２】
上記課題を解決するため、本考案に係る開口器は、板体を含み、前記板体の一端は折れ曲がって鉤部を形成し、他端には柄部を設け、前記鉤部は唇を引っ掛けて開かせ、前記柄部は操作者が握り、前記柄部を操作することによって前記鉤部が唇を引っ掛けて開かせる動作を行い、就診患者の歯の全貌を見られるようにする。前記鉤部は、前記唇の形状に合わせて弧状に設計し、且つ前記鉤部の横方向の幅は前記唇の幅よりやや小さく、人体工学に符合するようにして、自然に前記唇を引っ掛けて上へ持ち上げ、前記就診患者の歯に対して検査或いは治療を行いやすいようにする。
【考案の効果】
【００１３】
このようにして完成された本考案に係る開口器は、唇を開かせて歯を検査し、医者は就診患者に対する保健或いは治療に専念し、歯科診療の品質を向上させることができる。そして、僅か口形に合わせた片状体を置くだけで、就診患者を安心させて診療を受けさせることができる。
【図面の簡単な説明】
【００１４】
【図１】本考案の斜視図である。
【図２】本考案の正面図である。
【図３】本考案の側面図である。
【図４】本考案の使用例の模式図である。
【図５】本考案の操作例の平面図（一）である。
【図６】本考案の操作例の平面図（二）である。
【図７】従来の専用鉤具の使用例の模式図である。
【考案を実施するための形態】
【００１５】
以下、本考案の実施形態を図に基づいて説明する。
【００１６】
図１〜図３には、本考案に係る開口器を示す。前記開口器は主として板体１を含み、前記板体１の一端は折れ曲がって鉤部１１を形成し、他端には柄部１２が設けられている。
【００１７】
図４を参照されたい。前記鉤部１１は、主として就診患者２の唇２１を引っ張って開かせ、前記就診患者２の歯２２に対して検査或いは治療を行いやすいようにし、前記柄部１２は、操作者（医者）が前記鉤部１１を操作して唇２１を開かせるときに握りやすいようにした。
【００１８】
このようにして、前記操作者は、たやすく前記就診患者２の唇を開かせ、直接前記歯２２の全貌を見て、前記歯２２の検査或いは治療作業を行うことができる。
【００１９】
又、人体工学に符合して、前記就診患者２が気持ちよく感じるように、前記鉤部１１の横の段ｄを、前記唇２１の形状に合わせて弧状に設計し、前記横の段ｄの幅は前記唇２１の幅よりやや小さくし、就診患者２の口へ入れて前記唇２１と前記歯２２の間に位置させることによって、自然と前記唇２１を引っ掛けるとともに、たやすく上へ引き上げて作業を完成させることができる。
【００２０】
図５と図６を参照されたい。前記柄部１２の前記鉤部１１の反対方向に対応して、折れ曲がり部１３が設けられ、前記鉤部１１によって前記唇２１を持ち上げる動作に伴って、前記柄部１２が持ち上げられる時、前記折れ曲がり部１３の設置があるために、前記就診患者２の鼻２３に触れることはなく、順調に持ち上げるべき高さを達成し、操作者が後続の作業をしやすいようにした。
【００２１】
上記詳細な説明は、本考案の実行可能な実施例の具体的説明であり、ただし前記実施例は、本考案登録請求の範囲を制限するものではなく、およそ本考案の創作技芸精神を逸脱せずになされる等価実施或いは変更は、すべて本考案登録請求の範囲に含まれるものとする。
【符号の説明】
【００２２】
１：板体
１１：鉤部
１２：柄部
１３：折れ曲がり部
２：就診患者
２１：唇
２２：歯
２３：鼻
３：専用鉤具